(57)【要約】【課題】カプセル型医療装置に触れることなく、非接触型のスタータを用いて確実に電源をオンさせることを可能にする。【解決手段】カプセル型医療装置１００の長軸における一方の端を保持する上部保持部１０ａと、長軸における他方の端を保持する下部保持部１０ｂと、上部／下部保持部１０ａ／１０ｂで挟み込むように保持された状態のカプセル型医療装置１００を収容する外装ケース１１０と、を備える。上部保持部１０ａおよび下部保持部１０ｂそれぞれは、側面１１ａが外装ケース１１０の内側と当接するベース部１３と、カプセル型医療装置１００の長軸におけるいずれかの端が嵌装されるベース部の主面または該主面と平行な面に形成された保持孔１２と、保持孔１２を取り囲むようにベース部１３の主面から突出するベース部１３より外径が小さい凸部１１と、を含む。【選択図】図１
2011004811.tif 000002
【特許請求の範囲】
【請求項１】
スタータが発生する磁界を用いた電源投入が可能なカプセル型医療装置を収容する収容ケースであって、
前記カプセル型医療装置の長軸における一方の端を保持する第１保持部と、
前記カプセル型医療装置の前記長軸における他方の端を保持する第２保持部と、
前記第１および第２保持部で挟み込むように保持された状態の前記カプセル型医療装置を収容する外装ケースと、
を備え、
前記第１および第２保持部それぞれは、側面が前記外装ケースの内側と当接するベース部と、前記カプセル型医療装置の前記長軸におけるいずれかの端が嵌装される前記ベース部の主面または該主面と平行な面に形成された孔と、前記孔を取り囲むように前記ベース部の前記主面から突出する前記ベース部より外径が小さい凸部と、を含むことを特徴とするカプセル型医療装置の収容ケース。
【請求項２】
前記カプセル型医療装置を保持した状態の前記第１および第２保持部それぞれの対向する前記凸部が形成する隙間は、前記スタータにおける前記磁界を発生する部分の厚さよりも狭いことを特徴とする請求項１に記載のカプセル型医療装置の収容ケース。
【請求項３】
前記凸部は、円筒状をしており、
前記孔は、前記円筒形状の凸部における前記主面と平行な面の中央に形成されていることを特徴とする請求項１または２に記載のカプセル型医療装置の収容ケース。
【請求項４】
前記凸部は、ドーナツ状をしており、
前記孔は、前記ドーナツ状の凸部の内側の中央に形成されていることを特徴とする請求項１または２に記載のカプセル型医療装置の収容ケース。
【請求項５】
前記凸部は、前記ベース部の前記主面において円上に配列する複数の円弧状の凸部よりなり、
前記孔は、前記複数の円弧状の凸部が配列する前記円の中央に形成されていることを特徴とする請求項１または２に記載のカプセル型医療装置の収容ケース。
【請求項６】
前記凸部は、前記ベース部の前記主面において円上に配列する複数の柱状の凸部よりなり、
前記孔は、前記複数の柱状の凸部が配列する前記円の中央に形成されていることを特徴とする請求項１または２に記載のカプセル型医療装置の収容ケース。
【請求項７】
前記第１および第２保持部は、同一形状であることを特徴とする請求項１〜６のいずれか一つに記載のカプセル型医療装置の収容ケース。
【請求項８】
請求項１〜７のいずれか一つに記載の収容ケースに収容されたカプセル型医療装置の電源投入方法であって、
前記収容ケースから取り出された前記第１および第２保持部に保持された状態のカプセル型医療装置に対して前記第１および第２保持部の対向している前記凸部に前記カプセル型医療装置の前記長軸と垂直な方向から前記磁界を発生する前記スタータが近接された場合、前記カプセル型医療装置の電源が投入されることを特徴とするカプセル型医療装置の電源投入方法。
【発明の詳細な説明】
【技術分野】
【０００１】
本発明は、カプセル型医療装置の収容ケースおよびカプセル型医療装置の電源投入方法に関する。
【背景技術】
【０００２】
従来、経口にて被検体内に導入されて被検体内部の情報を取得するカプセル型医療装置は、磁気によってオンするリードスイッチを備え、このリードスイッチに外部から磁気を与えることで電源がオンされるように構成されていた（例えば以下に示す特許文献１参照）。
【先行技術文献】
【特許文献】
【０００３】
【特許文献１】特開２００５−９５４３３号公報
【発明の概要】
【発明が解決しようとする課題】
【０００４】
ここで従来では、衛生的な観点やカプセル型医療装置の外部筐体に傷等がつくことを防止するために、滅菌状態を維持可能なケースに収容された状態でカプセル型医療装置の電源をオンすることが一般的であった。しかしながら、従来のケースでは、非接触型の電源投入装置を必要十分な程度にカプセル型医療装置内のリードスイッチに近接させられるように構成されていなかったため、確実にカプセル型医療装置の電源をオンすることが困難であった。
【０００５】
そこで本発明は、上記の問題に鑑みてなされたものであり、カプセル型医療装置に触れることなく、非接触型のスタータを用いて確実に電源をオンさせることを可能にするカプセル型医療装置の収容ケースおよびカプセル型医療装置の電源投入方法を提供することを目的とする。
【課題を解決するための手段】
【０００６】
かかる目的を達成するために、本発明によるカプセル型医療装置の収容ケースは、スタータが発生する磁界を用いた電源投入が可能なカプセル型医療装置を収容する収容ケースであって、前記カプセル型医療装置の長軸における一方の端を保持する第１保持部と、前記カプセル型医療装置の前記長軸における他方の端を保持する第２保持部と、前記第１および第２保持部で挟み込むように保持された状態の前記カプセル型医療装置を収容する外装ケースと、を備え、前記第１および第２保持部それぞれが、側面が前記外装ケースの内側と当接するベース部と、前記カプセル型医療装置の前記長軸におけるいずれかの端が嵌装される前記ベース部の主面または該主面と平行な面に形成された孔と、前記孔を取り囲むように前記ベース部の前記主面から突出する前記ベース部より外径が小さい凸部と、を含むことを特徴とする。
【０００７】
上記した本発明によるカプセル型医療装置の収容ケースは、前記カプセル型医療装置を保持した状態の前記第１および第２保持部それぞれの対向する前記凸部が形成する隙間が、前記スタータにおける前記磁界を発生する部分の厚さよりも狭いことを特徴とする。
【０００８】
上記した本発明によるカプセル型医療装置の収容ケースは、前記凸部が、円筒状をしており、前記孔が、前記円筒形状の凸部における前記主面と平行な面の中央に形成されていることを特徴とする。
【０００９】
上記した本発明によるカプセル型医療装置の収容ケースは、前記凸部が、ドーナツ状をしており、前記孔が、前記ドーナツ状の凸部の内側の中央に形成されていることを特徴とする。
【００１０】
上記した本発明によるカプセル型医療装置の収容ケースは、前記凸部が、前記ベース部の前記主面において円上に配列する複数の円弧状の凸部よりなり、前記孔が、前記複数の円弧状の凸部が配列する前記円の中央に形成されていることを特徴とする。
【００１１】
上記した本発明によるカプセル型医療装置の収容ケースは、前記凸部が、前記ベース部の前記主面において円上に配列する複数の柱状の凸部よりなり、前記孔が、前記複数の柱状の凸部が配列する前記円の中央に形成されていることを特徴とする。
【００１２】
上記した本発明によるカプセル型医療装置の収容ケースは、前記第１および第２保持部が、同一形状であることを特徴とする。
【００１３】
また、本発明によるカプセル型医療装置の電源投入方法は、上記した何れかのカプセル型医療装置の収容ケースに収容されたカプセル型医療装置の電源投入方法であって、前記収容ケースから取り出された前記第１および第２保持部に保持された状態のカプセル型医療装置に対して前記第１および第２保持部の対向している前記凸部に前記カプセル型医療装置の前記長軸と垂直な方向から前記磁界を発生する前記スタータが近接された場合、前記カプセル型医療装置の電源が投入されることを特徴とする。
【発明の効果】
【００１４】
本発明によれば、第１保持部の凸部と第２保持部の凸部とが形成する窪みに磁界を発生しているスタータを近接させればカプセル型医療装置の全体に対してスタータが近接されるため、カプセル型医療装置に触れることなく、非接触型のスタータを用いて確実に電源をオンさせることが可能なカプセル型医療装置の収容ケースおよびカプセル型医療装置の電源投入方法を実現することが可能となる。
【図面の簡単な説明】
【００１５】
【図１】図１は、本発明の一実施の形態によるカプセル型医療装置の収容ケースの概略構成を示す斜視図である。
【図２Ａ】図２Ａは、本発明の一実施の形態による下部保持部の概略構成を示す斜視図である。
【図２Ｂ】図２Ｂは、本発明の一実施の形態による下部保持部の概略構成を示す上視図である。
【図２Ｃ】図２Ｃは、図２ＢのＡ−Ａ断面図である。
【図３】図３は、本発明の一実施の形態による収容ケースの組み立て順を説明するための図である。
【図４】図４は、本発明の一実施の形態におけるカプセル型医療装置の電源投入方法を説明するための図である。
【図５Ａ】図５Ａは、本発明の一実施の形態における内部保持部とスタータとの形状的関係を示す模式上視図である。
【図５Ｂ】図５Ｂは、本発明の一実施の形態における内部保持部とスタータとの形状的関係を示す模式垂直断面図である。
【図６Ａ】図６Ａは、本発明の一実施の形態の変形例１による下部保持部の概略構成を示す斜視図である。
【図６Ｂ】図６Ｂは、本発明の一実施の形態の変形例１による下部保持部の概略構成を示す上視図である。
【図６Ｃ】図６Ｃは、図６ＢのＢ−Ｂ断面図である。
【図７Ａ】図７Ａは、本発明の一実施の形態の変形例２による下部保持部の概略構成を示す斜視図である。
【図７Ｂ】図７Ｂは、本発明の一実施の形態の変形例２による下部保持部の概略構成を示す上視図である。
【図７Ｃ】図７Ｃは、図７ＢのＣ−Ｃ断面図である。
【図８Ａ】図８Ａは、本発明の一実施の形態の変形例３による下部保持部の概略構成を示す斜視図である。
【図８Ｂ】図８Ｂは、本発明の一実施の形態の変形例３による下部保持部の概略構成を示す上視図である。
【図８Ｃ】図８Ｃは、図８ＢのＤ−Ｄ断面図である。
【発明を実施するための形態】
【００１６】
以下、本発明を実施するための形態を図面と共に詳細に説明する。なお、以下の説明において、各図は本発明の内容を理解でき得る程度に形状、大きさ、および位置関係を概略的に示してあるに過ぎず、従って、本発明は各図で例示された形状、大きさ、および位置関係のみに限定されるものではない。また、各図では、構成の明瞭化のため、断面におけるハッチングの一部が省略されている。
【００１７】
以下、本発明の位置実施の形態に係るカプセル型医療装置の収容ケースおよびカプセル型医療装置の電源投入方法を図面と共に詳細に説明する。なお、これらの実施の形態により本発明が限定されるものではない。
【００１８】
図１は、本実施の形態によるカプセル型医療装置１００の収容ケース１の概略構成を示す斜視図である。図１に示すように、収容ケース１は、外装ケース１１０と内部保持部１０とから構成される。外装ケース１１０は、例えば内部が空洞で下部が底板で封止され且つ上部が開口された円筒状の主容器１１１と、主容器１１１の開口部分に接着剤１１３にて固着されることで外装ケース１１０内部を封止する蓋１１２と、よりなり、カプセル型医療装置１００を滅菌した状態で気密および液密に収容する。
【００１９】
この外装ケース１１０は、例えば透明または半透明のプラスチックやガラスなど、一般的なケース材料を用いて形成することが可能である。ただし、一般的な材料のなかでも、より成形が容易で且つ内部を滅菌した状態に維持しつつ気密および液密に封止可能な材料を用いることが好ましい。
【００２０】
一方、内部保持部１０は、長軸を備えたカプセル型医療装置１００の一方の端を保持する保持部（これを上部保持部１０ａとする）と、カプセル型医療装置１００の光学ユニット１０１が配設された他方の端を保持する保持部（これを下部保持部１０ｂとする）と、よりなり、外装ケース１１０内でカプセル型医療装置１００を長軸の両端から挟み込む状態でこれを保護しつつ保持する。また、上部保持部１０ａと下部保持部１０ｂとを同一材料および同一形状にて形成することで、製造および在庫管理の容易化を図ることが可能となる。
【００２１】
次に、本実施の形態による内部保持部１０のより詳細な構成を、図面を用いて説明する。ただし、本実施の形態では、上部保持部１０ａと下部保持部１０ｂとを同一の形状とする。そこで以下では、説明の簡略化のため、下部保持部１０ｂに着目して説明する。
【００２２】
図２Ａは、本実施の形態による下部保持部１０ｂの概略構成を示す斜視図である。図２Ｂは、本実施の形態による下部保持部１０ｂの概略構成を示す上視図である。図２Ｃは、図２ＢのＡ−Ａ断面図である。
【００２３】
図２Ａ〜図２Ｃに示すように、下部保持部１０ｂは、ベース部１３とこのベース部１３の主面から突出する円筒状の凸部１１と、を備える。ベース部１３は、側面１３ａが外装ケース１１０と当接するように形成されている。ベース部１３の側面１３ａが外装ケース１１０の内側面に当接することで、下部保持部１０ｂを外装ケース１１０内で固定される。また、凸部１１の側面１１ａは、後述において説明するように、カプセル型医療装置１００の電源を非接触にて投入するスタータ１２０がカプセル型医療装置１００に接触することを防止するための係止面として機能する。
【００２４】
また、凸部１１は、外径がベース部１３よりも小さい円柱形状をしており、ベース部１３の主面における略中央から突出している。凸部１１の主面（ベース部１３の主面と平行な面）の略中央には、カプセル型医療装置１００におけるドーム状の端部が嵌挿される保持孔１２が形成されている。
【００２５】
保持孔１２は、凸部１１上面から円筒状に延びる上部空間と、この上部空間の底部に配置された半球状の下部空間と、を含む。保持孔１２の開口部分、すなわち円筒状に延びる上部空間の開口形状は、カプセル型医療装置１００の長軸と垂直な面でカプセル型医療装置１００を切断した際の断面形状と略等しい。一方、保持孔１２底部の下部空間の形状は、カプセル型医療装置１００におけるドーム状の端部と略等しい。したがって、保持孔１２は、主に、円筒状の上部空間の側面がカプセル型医療装置１００の側面と当接することで、カプセル型医療装置１００を保持する。また、カプセル型医療装置１００が保持孔１２内に深く差し込まれた場合には、保持孔１２の下部空間の壁とカプセル型医療装置１００のドーム状の端部とが当接することで、カプセル型医療装置１００が過度に差し込まれることが防止される。なお、保持孔１２の下部空間の形状は、上述に限定されず種々変形することが可能である。ただし、保持孔１２の下部空間の形状は、カプセル型医療装置１００のドーム状の端部と当接したとしても、この端部を傷つけにくい形状であることが好ましい。
【００２６】
また、カプセル型医療装置１００が一方の端に光学ユニット１０１を備えている場合、この光学ユニット１０１が配設された端部を保持する下部保持部１０ｂは、例えば、遮光性を備えた材料を用いて形成され、且つ、この下部保持部１０ｂの保持孔１２の底部（下部空間の底面）に、解像度やホワイトバランス等をカプセル型医療装置１００の初期動作時に確認、調整するためのチャート部１４が設けられる。これにより、カプセル型医療装置１００の電源投入時から始まる初期動作時にカプセル型医療装置１００の各種設定および画像処理時のパラメータを取得することが可能となる。
【００２７】
次に、本実施の形態による収容ケース１の組み立てについて、図面を用いて詳細に説明する。図３は、本実施の形態による収容ケース１の組み立て順を説明するための図である。
【００２８】
図３に示すように、収容ケース１の組み立てでは、まず、外装ケース１１０の主容器１１１内に下部保持部１０ｂを上向きの状態で収納する（ステップＳ１）。この際、下部保持部１０ｂが主容器１１１の底部にまで達するように下部保持部１０ｂを押し込むとよい。これにより、下部保持部１０ｂを主容器１１１内で安定させることができる。なお、上向きの状態とは、保持孔１２の開口部分が上を向いている状態をいう。
【００２９】
次に、主容器１１１内の下部保持部１０ｂの保持孔１２にカプセル型医療装置１００の一方の端（光学ユニット１０１側）を嵌め込む（ステップＳ２）。この際、カプセル型医療装置１００を保持孔１２内に強く押し込む必要はなく、カプセル型医療装置１００が保持孔１２にある程度安定して保持される程度の強さで押し込めばよい。
【００３０】
次に、カプセル型医療装置１００の他方の端が保持孔１２に嵌まるように、上部保持部１０ａを下向きの状態で主容器１１１内に収納する（ステップＳ３）。この際も、カプセル型医療装置１００が保持孔１２内に強く押し込まれるように上部保持部１０ａを主容器１１１内に強く押し込む必要はなく、カプセル型医療装置１００が保持孔１２にある程度安定して保持される程度の強さで押し込めばよい。
【００３１】
その後、主容器１１１内を滅菌し、必要に応じて安定化ガスを主容器１１１内にパージした後、主容器１１１の開口に蓋１１２を接着剤１１３を用いて固着する（ステップＳ４）。これにより、例えば使用時に蓋１１２が開封されるまで、外装ケース１１０内部が滅菌された状態を維持するように、外装ケース１１０を気密および液密に封止することが可能となる。なお、外装ケース１１０の滅菌は、主容器１１１と蓋１１２とを接着した後に行ってもよい。
【００３２】
次に、本実施の形態によるカプセル型医療装置１００の電源投入方法を、図面を用いて詳細に説明する。図４は、本実施の形態におけるカプセル型医療装置１００の電源投入方法を説明するための図である。
【００３３】
図４に示すように、カプセル型医療装置１００は、外装ケース１１０の蓋１１２を開けた後、上部保持部１０ａおよび下部保持部１０ｂに保持された状態のまま、外装ケース１１０から取り出される。その後、上部保持部１０ａのベース部１３と下部保持部１０ｂのベース部１３とが形成しているくびれ部分に、カプセル型医療装置１００の電源を非接触にて投入するスタータ１２０のＵ字状の非接触電源投入部１２１を差し込み、この状態で、スタータ１２０の把手部１２２に設けられた電源投入磁界発生ボタン１２３を押下する。すると、非接触電源投入部１２１に所定周波数の磁界が発生し、この磁界をカプセル型医療装置１００のリードスイッチ１０２が受けてこれがオンする。これにより、カプセル型医療装置１００の電源が投入される。
【００３４】
ここで、本実施の形態における内部保持部１０とスタータ１２０との関係について、図面を用いて詳細に説明する。図５Ａは、本実施の形態における内部保持部１０とスタータ１２０との形状的関係を示す模式上視図である。図５Ｂは、本実施の形態における内部保持部１０とスタータ１２０との形状的関係を示す模式垂直断面図である。ただし、図５Ａでは、説明の都合上、上部保持部１０ａを省略して示す。
【００３５】
図５Ａおよび図５Ｂに示すように、上部保持部１０ａのベース部１３と下部保持部１０ｂのベース部１３との間は、くびれた形状となっている。このくびれ部分は、主として、上部保持部１０ａおよび下部保持部１０ｂにおけるベース部１３の大きさと凸部１１の径との差から形成される。凹部１１の径は、スタータ１２０におけるＵ字状の非接触電源投入部１２１の根元部分の曲げ径（内側）よりもやや小さい。そこで、本実施の形態では、スタータ１２０のＵ字状の非接触電源投入部１２１をこのくびれ部分を挟み込むように内部保持部１０の側方から差込み、この状態で、ユーザが把手部１２２に設けられた電源投入磁界発生ボタン１２３を押下する。これにより、Ｕ字状の非接触電源投入部１２１から電源投入用の磁界が発生するが、この際、本実施の形態では、カプセル型医療装置１００の胴体部がＵ字状の非接触電源投入部１２１により取り囲まれた状態であるため、磁界発生源である非接触電源投入部１２１とカプセル型医療装置１００内のリードスイッチ１０２とを近接させた状態で電源投入用の磁界を発生させることが可能となる。この結果、より確実およびより低い磁力の磁界にてカプセル型医療装置１００の電源を投入することが可能となる。
【００３６】
また、上部保持部１０ａの凸部１１と下部保持部１０ｂの凸部との隙間Ｇは、スタータ１２０の非接触電源投入部１２１の厚さＤよりも狭い。したがって、電源投入時にスタータ１２０の非接触電源投入部１２１が隙間Ｇから進入し、カプセル型医療装置１００と接触することが防止される。この結果、電源投入時にカプセル型医療装置１００がスタータ１２０によって傷つけられたり汚れたスタータ１２０が接触して汚染されたりなどの不具合の発生を回避することが可能となる。
【００３７】
以上のように、本実施の形態では、上部保持部１０ａ（第１保持部）の凸部１１と下部保持部１０ｂ（第２保持部）の凸部１１とが形成する窪みにスタータ１２０を近接させればカプセル型医療装置の全体に対してスタータが近接されるため、カプセル型医療装置に触れることなく、非接触型のスタータを用いて確実に電源をオンさせることが可能となる。また、このような構成により、カプセル型医療装置１００内におけるリードスイッチ１０２の配置が制限されないため、カプセル型医療装置１００の設計自由度を向上することが可能となる。
【００３８】
さらに、本実施の形態による内部保持部１０は、上下の保持部（上部保持部１０ａと下部保持部１０ｂとで同一の形状とすることが可能であるため、その製造や在庫管理の容易化を図ることが可能となる。
【００３９】
（変形例１）
また、以下に、上記実施の形態による内部保持部１０の変形例について、図面を用いて詳細に説明する。図６Ａ〜図６Ｃは、本実施の形態の変形例１による内部保持部の概略構成を説明するための図である。ただし、以下では、説明の簡略化のため、下部保持部２０ｂに着目して説明する。
【００４０】
図６Ａは、本変形例１による下部保持部２０ｂの概略構成を示す斜視図である。図６Ｂは、本変形例１による下部保持部２０ｂの概略構成を示す上視図である。図６Ｃは、図６ＢのＢ−Ｂ断面図である。
【００４１】
図６Ａ〜図６Ｃに示すように、下部保持部２０ｂは、ベース部１３とこのベース部１３の主面から突出するドーナツ状の凸部２１と、を備える。ベース部１３は、上記実施の形態と同様である。凸部２１は、外径がベース部１３よりも小さいドーナツ状をしており、ベース部１３の主面における略中央から突出している。凸部２１の内側におけるベース部１３の主面の略中央には、カプセル型医療装置１００におけるドーム状の端部が嵌挿される半球状の保持孔２２が形成されている。なお、凸部２１の側面２１ａは、側面１１ａと同様に、カプセル型医療装置１００の電源を非接触にて投入するスタータ１２０がカプセル型医療装置１００に接触することを防止するための係止面として機能する。
【００４２】
保持孔２２は、カプセル型医療装置１００におけるドーム状の端部と略等しい。したがって、保持孔２２は、主に、開口部分近傍とカプセル型医療装置１００の端部におけるドーム部分の縁と当接することで、カプセル型医療装置１００を保持する。また、カプセル型医療装置１００が保持孔２２内に深く差し込まれた場合には、保持孔２２の下壁とカプセル型医療装置１００のドーム部分とが当接することで、カプセル型医療装置１００が過度に差し込まれることが防止される。なお、保持孔２２の形状は、上述に限定されず種々変形することが可能である。ただし、保持孔２２の形状は、カプセル型医療装置１００のドーム状の端部と当接したとしても、この端部を傷つけにくい形状であることが好ましい。
【００４３】
また、凸部２１の外側の側面は、上記実施の形態と同様に、カプセル型医療装置１００の電源を非接触にて投入するスタータ１２０がカプセル型医療装置１００に接触することを防止するための係止面として機能する。他の構成および効果は、上記実施の形態と同様であるため、ここでは詳細な説明を省略する。
【００４４】
（変形例２）
次に、上記実施の形態による内部保持部１０の他の変形例について、図面を用いて詳細に説明する。図７Ａ〜図７Ｃは、本実施の形態の変形例２による内部保持部の概略構成を説明するための図である。ただし、以下では、説明の簡略化のため、下部保持部３０ｂに着目して説明する。
【００４５】
図７Ａは、本変形例２による下部保持部３０ｂの概略構成を示す斜視図である。図７Ｂは、本変形例２による下部保持部３０ｂの概略構成を示す上視図である。図７Ｃは、図７ＢのＣ−Ｃ断面図である。
【００４６】
図７Ａ〜図７Ｃに示すように、下部保持部３０ｂは、ベース部１３とこのベース部１３の主面から突出する円弧状の複数の凸部３１と、を備える。ベース部１３は、上記実施の形態と同様である。複数の円弧状の凸部３１は、ベース部１３よりも小さい円上に配列しており、ベース部１３の主面から突出している。複数の凸部３１を結ぶ円の内側におけるベース部１３の主面の略中央には、カプセル型医療装置１００におけるドーム状の端部が嵌挿される半球状の保持孔２２が形成されている。なお、凸部３１の側面３１ａは、側面１１ａと同様に、カプセル型医療装置１００の電源を非接触にて投入するスタータ１２０がカプセル型医療装置１００に接触することを防止するための係止面として機能する。
【００４７】
この凸部３１の外側の側面は、上記実施の形態と同様に、カプセル型医療装置１００の電源を非接触にて投入するスタータ１２０がカプセル型医療装置１００に接触することを防止するための係止面として機能する。そこで本変形例２では、隣り合う凸部３１の隙間が、スタータ１２０のＵ字状の非接触電源投入部１２１が進入できない程度の隙間とされる。これにより、電源投入時にカプセル型医療装置１００がスタータ１２０によって傷つけられたり、汚れたスタータ１２０が接触して汚染されたりなどの不具合の発生を回避することが可能となる。また、他の構成および効果は、上記実施の形態と同様であるため、ここでは詳細な説明を省略する。
【００４８】
（変形例３）
また、上記実施の形態による内部保持部１０のさらに他の変形例について、図面を用いて詳細に説明する。図８Ａ〜図８Ｃは、本実施の形態の変形例３による内部保持部の概略構成を説明するための図である。ただし、以下では、説明の簡略化のため、下部保持部４０ｂに着目して説明する。
【００４９】
図８Ａは、本変形例３による下部保持部４０ｂの概略構成を示す斜視図である。図８Ｂは、本変形例３による下部保持部４０ｂの概略構成を示す上視図である。図８Ｃは、図８ＢのＤ−Ｄ断面図である。
【００５０】
図８Ａ〜図８Ｃに示すように、下部保持部４０ｂは、ベース部１３とこのベース部１３の主面から突出する柱状の凸部４１と、を備える。ベース部１３は、上記実施の形態と同様である。複数の柱状の凸部４１は、ベース部１３よりも小さい円上に配列しており、ベース部１３の主面から突出している。複数の凸部４１を結ぶ円の内側におけるベース部１３の主面の略中央には、カプセル型医療装置１００におけるドーム状の端部が嵌挿される半球状の保持孔２２が形成されている。なお、凸部４１の側面４１ａは、側面１１ａと同様に、カプセル型医療装置１００の電源を非接触にて投入するスタータ１２０がカプセル型医療装置１００に接触することを防止するための係止面として機能する。
【００５１】
この凸部４１の外側の側面は、上記実施の形態と同様に、カプセル型医療装置１００の電源を非接触にて投入するスタータ１２０がカプセル型医療装置１００に接触することを防止するための係止面として機能する。そこで本変形例３では、隣り合う凸部４１の隙間が、スタータ１２０のＵ字状の非接触電源投入部１２１が進入できない程度の隙間とされる。これにより、電源投入時にカプセル型医療装置１００がスタータ１２０によって傷つけられたり汚れたスタータ１２０が接触して汚染されたりなどの不具合の発生を回避することが可能となる。また、他の構成および効果は、上記実施の形態と同様であるため、ここでは詳細な説明を省略する。
【００５２】
また、上記実施の形態は本発明を実施するための例にすぎず、本発明はこれらに限定されるものではなく、仕様等に応じて種々変形することは本発明の範囲内であり、更に本発明の範囲内において、他の様々な実施の形態が可能であることは上記記載から自明である。
【符号の説明】
【００５３】
１  収容ケース
１０  内部保持部
１０ａ  上部保持部
１０ｂ、２０ｂ、３０ｂ、４０ｂ  下部保持部
１１、２１、３１、４１  凸部
１１ａ、２１ａ、３１ａ、４１ａ  側面
１２、２２  保持孔
１３  ベース部
１３ａ  側面
１４  チャート部
１００  カプセル型医療装置
１０１  光学ユニット
１０２  リードスイッチ
１１０  外装ケース
１１１  主容器
１１２  蓋
１１３  接着剤
１２０  スタータ
１２１  非接触電源投入部
１２２  把手部
１２３  電源投入磁界発生ボタン
【図１】
2011004811.tif 000003
【図２Ａ】
2011004811.tif 000004
【図２Ｂ】
2011004811.tif 000005
【図２Ｃ】
2011004811.tif 000006
【図３】
2011004811.tif 000007
【図４】
2011004811.tif 000008
【図５Ａ】
2011004811.tif 000009
【図５Ｂ】
2011004811.tif 000010
【図６Ａ】
2011004811.tif 000011
【図６Ｂ】
2011004811.tif 000012
【図６Ｃ】
2011004811.tif 000013
【図７Ａ】
2011004811.tif 000014
【図７Ｂ】
2011004811.tif 000015
【図７Ｃ】
2011004811.tif 000016
【図８Ａ】
2011004811.tif 000017
【図８Ｂ】
2011004811.tif 000018
【図８Ｃ】
2011004811.tif 000019